(57)【要約】【課題】それぞれの通信エリアの一部が重なる２つの無線基地局装置の一方に接続する無線端末装置を増設するときに、干渉回避のために広帯域モードから狭帯域モードへの切り替えを自動的に行う。【解決手段】第１および第２の無線基地局装置は無線基地局ＩＤを報知し、無線端末ＩＤの応答があったときに、無線基地局ＩＤと無線端末ＩＤをセットで遠隔制御装置に通知し、遠隔制御装置は、第１および／または第２の無線基地局装置から通知された無線基地局ＩＤと無線端末ＩＤに基づいて、増設する第２の無線端末装置の通信が広帯域モードで互いに干渉となると判断したときに、第１および第２の無線基地局装置に対して、広帯域モードから互いに周波数帯域が重ならない狭帯域モードに変更するモード変更指示を通知し、第１および第２の無線基地局装置は広帯域モードから狭帯域モードに変更する。【選択図】  図１
2014209687.tif 000002
【特許請求の範囲】
【請求項１】
所定の周波数帯域幅および中心周波数で通信中の第１の無線基地局装置と第１の無線端末装置に対して、当該第１の無線基地局装置に隣接する第２の無線基地局装置の通信エリアに第２の無線端末装置を増設するときに干渉となる場合に、当該所定の周波数帯域幅の広帯域モードから相対的に狭い周波数帯域幅の狭帯域モードに変更する無線通信システムにおいて、
前記第１の無線基地局装置および前記第２の無線基地局装置に接続され、通信中の無線基地局装置と無線端末装置の接続関係を管理するとともに、前記第２の無線端末装置を増設するときに、前記第１の無線基地局装置および前記第２の無線基地局装置に対して、送信停止フレーム（ＮＡＶ）を互いに重ならないように設定する遠隔制御装置を備え、
前記第１の無線基地局装置および前記第２の無線基地局装置は、前記送信停止フレーム（ＮＡＶ）が設定されていないタイミングでそれぞれ無線基地局ＩＤを報知し、無線端末ＩＤの応答があったときに、当該無線基地局ＩＤと無線端末ＩＤをセットで前記遠隔制御装置に通知する手段を備え、
前記第１の無線端末装置および第２の無線端末装置は、前記無線基地局ＩＤを受信したときに、その無線基地局装置に対して無線端末ＩＤを応答する手段を備え、
前記遠隔制御装置は、前記第１の無線基地局装置および／または前記第２の無線基地局装置から通知された前記無線基地局ＩＤと前記無線端末ＩＤに基づいて、増設する前記第２の無線端末装置の通信が前記広帯域モードで互いに干渉となると判断したときに、前記第１の無線基地局装置および前記第２の無線基地局装置に対して、前記広帯域モードから互いに周波数帯域が重ならない狭帯域モードに変更するモード変更指示を通知する手段を備え、
前記第１の無線基地局装置および前記第２の無線基地局装置は、前記遠隔制御装置から通知された前記モード変更指示に応じて前記広帯域モードから前記狭帯域モードに変更する構成である
ことを特徴とする無線通信システム。
【請求項２】
請求項１に記載の無線通信システムにおいて、
前記遠隔制御装置は、前記第１の無線基地局装置および前記第２の無線基地局装置から同一の無線端末ＩＤが通知されたとき、または前記第２の無線基地局装置から前記第２の無線端末装置の無線端末ＩＤおよび前記第１の無線端末装置の無線端末ＩＤが通知されたときに、増設する前記第２の無線端末装置の通信が前記広帯域モードで互いに干渉となると判断する構成である
ことを特徴とする無線通信システム。
【請求項３】
所定の周波数帯域幅および中心周波数で通信中の第１の無線基地局装置と第１の無線端末装置に対して、当該第１の無線基地局装置に隣接する第２の無線基地局装置の通信エリアに第２の無線端末装置を増設するときに干渉となる場合に、当該所定の周波数帯域幅の広帯域モードから相対的に狭い周波数帯域幅の狭帯域モードに変更する無線通信方法において、
前記第１の無線基地局装置および前記第２の無線基地局装置に接続され、通信中の無線基地局装置と無線端末装置の接続関係を管理するとともに、前記第２の無線端末装置を増設するときに、前記第１の無線基地局装置および前記第２の無線基地局装置に対して、送信停止フレーム（ＮＡＶ）を互いに重ならないように設定する遠隔制御装置を備え、
前記第１の無線基地局装置および前記第２の無線基地局装置は、前記送信停止フレーム（ＮＡＶ）が設定されていないタイミングでそれぞれ無線基地局ＩＤを報知し、無線端末ＩＤの応答があったときに、当該無線基地局ＩＤと無線端末ＩＤをセットで前記遠隔制御装置に通知し、
前記第１の無線端末装置および第２の無線端末装置は、前記無線基地局ＩＤを受信したときに、その無線基地局装置に対して無線端末ＩＤを応答し、
前記遠隔制御装置は、前記第１の無線基地局装置および／または前記第２の無線基地局装置から通知された前記無線基地局ＩＤと前記無線端末ＩＤに基づいて、増設する前記第２の無線端末装置の通信が前記広帯域モードで互いに干渉となると判断したときに、前記第１の無線基地局装置および前記第２の無線基地局装置に対して、前記広帯域モードから互いに周波数帯域が重ならない狭帯域モードに変更するモード変更指示を通知し、
前記第１の無線基地局装置および前記第２の無線基地局装置は、前記遠隔制御装置から通知された前記モード変更指示に応じて前記広帯域モードから前記狭帯域モードに変更する
ことを特徴とする無線通信方法。
【請求項４】
請求項３に記載の無線通信方法において、
前記遠隔制御装置は、前記第１の無線基地局装置および前記第２の無線基地局装置から同一の無線端末ＩＤが通知されたとき、または前記第２の無線基地局装置から前記第２の無線端末装置の無線端末ＩＤおよび前記第１の無線端末装置の無線端末ＩＤが通知されたときに、増設する前記第２の無線端末装置の通信が前記広帯域モードで互いに干渉となると判断する
ことを特徴とする無線通信方法。
【請求項５】
請求項１または請求項２に記載の無線通信システムの無線基地局装置において、
前記送信停止フレーム（ＮＡＶ）が設定されていないタイミングで無線基地局ＩＤを報知し、無線端末ＩＤの応答があったときに、当該無線基地局ＩＤと無線端末ＩＤをセットで前記遠隔制御装置に通知する手段と、
前記遠隔制御装置から通知された前記モード変更指示に応じて前記広帯域モードから前記狭帯域モードに変更する手段を備えた
ことを特徴とする無線基地局装置。
【請求項６】
請求項１または請求項２に記載の無線通信システムの遠隔制御装置において、
前記第１の無線基地局装置および前記第２の無線基地局装置に接続され、通信中の無線基地局装置と無線端末装置の接続関係を管理するとともに、前記第２の無線端末装置を増設するときに、前記第１の無線基地局装置および前記第２の無線基地局装置に対して、送信停止フレーム（ＮＡＶ）を互いに重ならないように設定する手段と、
前記第１の無線基地局装置および／または前記第２の無線基地局装置から通知された前記無線基地局ＩＤと前記無線端末ＩＤに基づいて、増設する前記第２の無線端末装置の通信が前記広帯域モードで互いに干渉となると判断したときに、前記第１の無線基地局装置および前記第２の無線基地局装置に対して、前記広帯域モードから互いに周波数帯域が重ならない狭帯域モードに変更するモード変更指示を通知する手段と
を備えたことを特徴とする遠隔制御装置。
【請求項７】
請求項６に記載の遠隔制御装置において、
前記第１の無線基地局装置および前記第２の無線基地局装置から同一の無線端末ＩＤが通知されたとき、または前記第２の無線基地局装置から前記第２の無線端末装置の無線端末ＩＤおよび前記第１の無線端末装置の無線端末ＩＤが通知されたときに、増設する前記第２の無線端末装置の通信が前記広帯域モードで互いに干渉となると判断する構成である  ことを特徴とする遠隔制御装置。
【発明の詳細な説明】
【技術分野】
【０００１】
本発明は、それぞれの通信エリアの一部が重なる２つの無線基地局装置の一方に接続する無線端末装置を増設するときに、干渉回避のために例えば40ＭHz帯域幅の広帯域モードから例えば20ＭHz帯域幅の狭帯域モードへの切り替えを自動的に行う無線通信システム、無線通信方法、無線基地局装置および遠隔制御装置に関する。
【背景技術】
【０００２】
無線ＬＡＮの標準規格であるＩＥＥＥ８０２．１１ｎ（非特許文献１）では、通信容量を増大するために伝送路を広帯域化する手段として、20ＭHz帯域幅を40ＭHz帯域幅に拡大するチャネル・ボンディング技術が規定されている。これは、隣接する２つの20ＭHzチャネルを結合して連続的に使用し、２つの20ＭHzチャネルの境界に位置するガードバンド内の未使用のサブキャリアも利用可能にして、実質的に２倍以上の伝送速度を実現する技術である。
【０００３】
このような無線通信システムにおいて、それぞれの通信エリアの一部が重なる一方の無線基地局装置が広帯域モードで通信中に、他方の無線基地局装置に接続する無線端末装置を増設する際に、互いに干渉するときの対処方法が課題となる。
【０００４】
図６(a) は、狭帯域モードと広帯域モードに対応可能な無線基地局装置（▲，△）が通信エリアの一部が重なって隣接し、一方の無線基地局装置（▲）が既存の無線端末装置（●）と広帯域モード（Ｗ）で通信を行っている。このとき、他方の無線基地局装置（△）に接続する新規の無線端末装置（○）を増設するときに、次のようなケースが考えられる。なお、隣接する無線基地局装置は、互いの通信エリアの外にあるものとする。
【０００５】
図６(b) は、一方の無線基地局装置（▲）と通信する既存の無線端末装置（●）と、他方の無線基地局装置（△）と通信する新規の無線端末装置（○）が、互いの通信エリアの外にあるケースである。この場合、一方の無線基地局装置（▲）と既存の無線端末装置（●）との間の広帯域モードの通信と、他方の無線基地局装置（△）と新規の無線端末装置（○）との間の広帯域モードの通信は互いに干渉しないため、それぞれで広帯域モード（Ｗ）の通信が可能である。
【０００６】
図６(c) は、一方の無線基地局装置（▲）と通信する既存の無線端末装置（●）が、隣接する無線基地局装置（▲，△）の通信エリアが重なる位置にあり、他方の無線基地局装置（△）と通信しようとする新規の無線端末装置（○）が、一方の無線基地局装置（▲）の通信エリアの外にあるケースである。この場合、既存の無線端末装置（●）から一方の無線基地局装置（▲）に送信される信号が他方の無線基地局装置（△）に対して干渉となり、他方の無線基地局装置（△）から新規の無線端末装置（○）に送信される信号が既存の無線端末装置（●）の干渉となり、このままでは両方で広帯域モードの通信ができないので何らかの制御が必要になる。
【０００７】
図６(d) は、一方の無線基地局装置（▲）と通信する既存の無線端末装置（●）は、他方の無線基地局装置（△）の通信エリアの外にあるが、他方の無線基地局装置（△）と通信しようとする新規の無線端末装置（○）が、両基地局の通信エリアが重なる位置にあるケースである。この場合、一方の無線基地局装置（▲）から既存の無線端末装置（●）に送信される信号が新規の無線端末装置（○）に対して干渉となり、新規の無線端末装置（○）から他方の無線基地局装置（△）に送信される信号が一方の無線基地局装置（●）の干渉となり、このままでは両方で広帯域モードの通信ができないので何らかの制御が必要になる。
【０００８】
図６(c),(d) における干渉を回避する制御例としては、例えば、隣接する無線基地局装置間で、広帯域モードの40ＭHz帯域幅をＣＳＭＡ／ＣＡ方式により時分割利用する方法が考えられる。あるいは、隣接する無線基地局装置をいわゆる「隠れ端末」と想定し、既存の無線端末装置または一方の無線基地局装置がＲＴＳ／ＣＴＳ技術を用いて、データ送信前に帯域予約する方法が考えられる。
【先行技術文献】
【非特許文献】
【０００９】
【非特許文献１】IEEE Std 802.11 -2012
【発明の概要】
【発明が解決しようとする課題】
【００１０】
図６(c),(d) に示すように、一方の無線基地局装置（▲）と既存の無線端末装置（●）が広帯域モード（Ｗ）で通信しているときに、隣接する他方の無線基地局装置（△）の通信エリア内に新規の無線端末装置（○）を増設して広帯域モード（Ｗ）で通信しようとする場合、既存の無線端末装置（●）および新規の無線端末装置（○）の位置に応じて干渉の問題を解決する必要がある。しかし、上記のＲＴＳ／ＣＴＳ技術を用いる方法は、制御信号の増加に伴う周波数利用効率の低下を招く。また、ＣＳＭＡ／ＣＡ方式は、無線ＬＡＮシステムで利用されている方式であるため容易に採用できるが、伝送効率は必ずしもよくない。
【００１１】
また、従来の無線通信システムでは、無線基地局装置が広帯域モードから狭帯域モードに自動的に変更する手順は規定されておらず、仮に隣接する無線基地局装置がそれぞれ勝手に広帯域モードから狭帯域モードに変更した場合に、既存の無線端末装置が通信中であった一方の無線基地局装置を見失うとともに、狭帯域モードにおける周波数帯域が同じになれば、干渉の問題は解決しない。
【００１２】
本発明は、それぞれの通信エリアの一部が重なる２つの無線基地局装置の一方に接続する無線端末装置を増設するときに、干渉回避のために広帯域モードから狭帯域モードへの切り替えを自動的に行うことができる無線通信システム、無線通信方法、無線基地局装置および遠隔制御装置に関する。
【課題を解決するための手段】
【００１３】
第１の発明は、所定の周波数帯域幅および中心周波数で通信中の第１の無線基地局装置と第１の無線端末装置に対して、当該第１の無線基地局装置に隣接する第２の無線基地局装置の通信エリアに第２の無線端末装置を増設するときに干渉となる場合に、当該所定の周波数帯域幅の広帯域モードから相対的に狭い周波数帯域幅の狭帯域モードに変更する無線通信システムにおいて、第１の無線基地局装置および第２の無線基地局装置に接続され、通信中の無線基地局装置と無線端末装置の接続関係を管理するとともに、第２の無線端末装置を増設するときに、第１の無線基地局装置および第２の無線基地局装置に対して、送信停止フレーム（ＮＡＶ）を互いに重ならないように設定する遠隔制御装置を備え、第１の無線基地局装置および第２の無線基地局装置は、送信停止フレーム（ＮＡＶ）が設定されていないタイミングでそれぞれ無線基地局ＩＤを報知し、無線端末ＩＤの応答があったときに、当該無線基地局ＩＤと無線端末ＩＤをセットで遠隔制御装置に通知する手段を備え、第１の無線端末装置および第２の無線端末装置は、無線基地局ＩＤを受信したときに、その無線基地局装置に対して無線端末ＩＤを応答する手段を備え、遠隔制御装置は、第１の無線基地局装置および／または第２の無線基地局装置から通知された無線基地局ＩＤと無線端末ＩＤに基づいて、増設する第２の無線端末装置の通信が広帯域モードで互いに干渉となると判断したときに、第１の無線基地局装置および第２の無線基地局装置に対して、広帯域モードから互いに周波数帯域が重ならない狭帯域モードに変更するモード変更指示を通知する手段を備え、第１の無線基地局装置および第２の無線基地局装置は、遠隔制御装置から通知されたモード変更指示に応じて広帯域モードから狭帯域モードに変更する構成である。
【００１４】
第１の発明の無線通信システムにおいて、遠隔制御装置は、第１の無線基地局装置および第２の無線基地局装置から同一の無線端末ＩＤが通知されたとき、または第２の無線基地局装置から第２の無線端末装置の無線端末ＩＤおよび第１の無線端末装置の無線端末ＩＤが通知されたときに、増設する第２の無線端末装置の通信が広帯域モードで互いに干渉となると判断する構成である。
【００１５】
第２の発明は、所定の周波数帯域幅および中心周波数で通信中の第１の無線基地局装置と第１の無線端末装置に対して、当該第１の無線基地局装置に隣接する第２の無線基地局装置の通信エリアに第２の無線端末装置を増設するときに干渉となる場合に、当該所定の周波数帯域幅の広帯域モードから相対的に狭い周波数帯域幅の狭帯域モードに変更する無線通信方法において、第１の無線基地局装置および第２の無線基地局装置に接続され、通信中の無線基地局装置と無線端末装置の接続関係を管理するとともに、第２の無線端末装置を増設するときに、第１の無線基地局装置および第２の無線基地局装置に対して、送信停止フレーム（ＮＡＶ）を互いに重ならないように設定する遠隔制御装置を備え、第１の無線基地局装置および第２の無線基地局装置は、送信停止フレーム（ＮＡＶ）が設定されていないタイミングでそれぞれ無線基地局ＩＤを報知し、無線端末ＩＤの応答があったときに、当該無線基地局ＩＤと無線端末ＩＤをセットで遠隔制御装置に通知し、第１の無線端末装置および第２の無線端末装置は、無線基地局ＩＤを受信したときに、その無線基地局装置に対して無線端末ＩＤを応答し、遠隔制御装置は、第１の無線基地局装置および／または第２の無線基地局装置から通知された無線基地局ＩＤと無線端末ＩＤに基づいて、増設する第２の無線端末装置の通信が広帯域モードで互いに干渉となると判断したときに、第１の無線基地局装置および第２の無線基地局装置に対して、広帯域モードから互いに周波数帯域が重ならない狭帯域モードに変更するモード変更指示を通知し、第１の無線基地局装置および第２の無線基地局装置は、遠隔制御装置から通知されたモード変更指示に応じて広帯域モードから狭帯域モードに変更する。
【００１６】
第２の発明の無線通信方法において、遠隔制御装置は、第１の無線基地局装置および第２の無線基地局装置から同一の無線端末ＩＤが通知されたとき、または第２の無線基地局装置から第２の無線端末装置の無線端末ＩＤおよび第１の無線端末装置の無線端末ＩＤが通知されたときに、増設する第２の無線端末装置の通信が広帯域モードで互いに干渉となると判断する。
【００１７】
第３の発明は、第１の発明の無線通信システムの無線基地局装置において、送信停止フレーム（ＮＡＶ）が設定されていないタイミングで無線基地局ＩＤを報知し、無線端末ＩＤの応答があったときに、当該無線基地局ＩＤと無線端末ＩＤをセットで遠隔制御装置に通知する手段と、遠隔制御装置から通知されたモード変更指示に応じて広帯域モードから狭帯域モードに変更する手段を備える。
【００１８】
第４の発明は、第１の発明の無線通信システムの遠隔制御装置において、第１の無線基地局装置および第２の無線基地局装置に接続され、通信中の無線基地局装置と無線端末装置の接続関係を管理するとともに、第２の無線端末装置を増設するときに、第１の無線基地局装置および第２の無線基地局装置に対して、送信停止フレーム（ＮＡＶ）を互いに重ならないように設定する手段と、第１の無線基地局装置および／または第２の無線基地局装置から通知された無線基地局ＩＤと無線端末ＩＤに基づいて、増設する第２の無線端末装置の通信が広帯域モードで互いに干渉となると判断したときに、第１の無線基地局装置および第２の無線基地局装置に対して、広帯域モードから互いに周波数帯域が重ならない狭帯域モードに変更するモード変更指示を通知する手段とを備える。
【００１９】
第４の発明の遠隔制御装置において、第１の無線基地局装置および第２の無線基地局装置から同一の無線端末ＩＤが通知されたとき、または第２の無線基地局装置から第２の無線端末装置の無線端末ＩＤおよび第１の無線端末装置の無線端末ＩＤが通知されたときに、増設する第２の無線端末装置の通信が広帯域モードで互いに干渉となると判断する構成である。
【発明の効果】
【００２０】
本発明は、広帯域モードで通信中の第１の無線基地局装置と第１の無線端末装置に対して、第１の無線基地局装置に隣接する第２の無線基地局装置の通信エリアに第２の無線端末装置を増設するときに、広帯域モードで互いに干渉となる場合には、広帯域モードから互いに周波数帯域が重ならない狭帯域モードに変更することにより、自動的に周波数帯域を調整して第２の無線端末装置の増設に対応することができる。
【００２１】
また、周波数分割であるため、第１の無線基地局装置と第２の無線基地局装置との間の同期は不要であり、第２の無線端末装置の増設が容易になる。なお、第２の無線端末装置と第２の無線基地局装置との通信が、第１の無線端末装置と第１の無線基地局装置との通信に干渉を与える関係にない場合は、双方で広帯域モードでの通信が可能である。
【図面の簡単な説明】
【００２２】
【図１】本発明の無線通信システムの実施例１を示す図である。
【図２】本発明の無線通信システムの実施例１におけるモード変更手順を示すフローチャートである。
【図３】本発明の無線通信システムの実施例２を示す図である。
【図４】本発明の無線通信システムの実施例２におけるモード変更手順を示すフローチャートである。
【図５】本発明の無線基地局装置および遠隔制御装置の構成例を示す図である。
【図６】無線端末装置の増設例を示す図である。
【発明を実施するための形態】
【００２３】
図１は、本発明の無線通信システムの実施例１を示す。
図１において、一方の無線基地局装置１１の通信エリア１２内に既存の無線端末装置１３があり、広帯域モードで無線通信しているとき、隣接する他方の無線基地局装置２１の通信エリア内２２に新規の無線端末装置２３を増設する状況を示す。各無線基地局装置１１，２１には、有線回線または無線回線を介して遠隔制御装置３１が接続されている。新規の無線端末装置２３を増設する際には、無線基地局装置１１および無線基地局装置２１は遠隔制御装置３１との接続を行う。遠隔制御装置３１は、通信中の無線基地局装置１１のＩＤ１１と無線端末装置１３のＩＤ１３をデータベースで管理しており、隣接する通信エリア間で広帯域モードにおける干渉が予測されるときに、隣接する無線基地局装置１１，２１に対して、互いに周波数帯域が重ならない狭帯域モードへの変更を指示する。
【００２４】
ここで、新規の無線端末装置２３は、無線基地局装置１１の通信エリア１２と無線基地局装置２１の通信エリア２２が重なる位置にある。すなわち、図６(d) に示す状況にあるものとする。このままでは、無線基地局装置１１，２１ともに広帯域モードの通信ができない。そこで、無線基地局装置１１，２１は、遠隔制御装置３１の指示に応じて互いに周波数帯域が重ならない狭帯域モードへの変更を実施し、無線基地局装置１１と無線端末装置１３は狭帯域モードで通信を継続し、無線基地局装置２１と新規の無線端末装置２３は割り当てられた狭帯域モードで通信を開始する。
【００２５】
図２は、本発明の無線通信システムの実施例１におけるモード変更手順を示す。
図２において、無線基地局装置２１の通信エリアに新規の無線端末装置２３が増設されるとき、まず遠隔制御装置３１は、隣接する無線基地局装置１１，２１に対して、送信停止フレーム（ＮＡＶ）を互いに重ならないように設定し（Ｓ１）、無線端末装置の増設処理が完了した後に解除する。ここでは、無線基地局装置１１，２１の順番に交互に送信停止フレーム（ＮＡＶ）が設定される。
【００２６】
無線基地局装置１１，２１は、各フレームの先頭で無線基地局のＩＤ１１，ＩＤ２１をそれぞれ報知するが、ここではＮＡＶが設定されていない無線基地局装置２１がＩＤ２１を報知する（Ｓ２）。一方、新規の無線端末装置２３は、一定期間にわたり無線基地局ＩＤをモニタし、まず無線基地局装置２１のＩＤ２１を受信すると、同一フレーム内に設けられたランダムアクセス領域を用いて、ＩＤ２３を無線基地局装置２１に応答する（Ｓ３）。無線基地局装置２１は、無線端末装置２３のＩＤ２３を受信すると、ＩＤ２１とＩＤ２３をペアで遠隔制御装置３１に通知する（Ｓ４）。
【００２７】
次に、ＮＡＶが設定されていない無線基地局装置１１がＩＤ１１を報知し（Ｓ５）、新規の無線端末装置２３が無線基地局装置１１のＩＤ１１を受信すると、同一フレーム内に設けられたランダムアクセス領域を用いて、ＩＤ２３を無線基地局装置１１に応答する（Ｓ６）。無線基地局装置１１は、無線端末装置２３のＩＤ２３を受信すると、ＩＤ１１とＩＤ２３をペアで遠隔制御装置３１に通知する（Ｓ７）。
【００２８】
遠隔制御装置３１は、無線基地局装置１１，２１から通知される各ＩＤを照合し、複数の無線基地局装置１１，２１から同一のＩＤ２３が通知されていれば、新規の無線端末装置２３における広帯域モードの通信が干渉になると判断する（Ｓ８）。そして、無線基地局装置１１，２１に対して、互いに周波数帯域が重ならない狭帯域モードへの変更を指示する（Ｓ９）。
【００２９】
無線基地局装置１１は、広帯域モードから遠隔制御装置３１に指示された狭帯域モード（周波数帯域および中心周波数）に変更する（Ｓ10）。このとき、無線基地局装置１１と既存の無線端末装置１３（図２では省略）は、広帯域モードから狭帯域モードに変更するための制御信号をやりとりした後に、広帯域モードから狭帯域モードへの変更を同時に実施し、狭帯域モードによる通信を継続する。
【００３０】
無線基地局装置２１は、遠隔制御装置３１に指示された狭帯域モード（周波数帯域および中心周波数）に設定し（Ｓ11）、新規の無線端末装置２３との間で当該狭帯域モードによる通信を開始する。
【００３１】
このとき、隣接する通信エリアが使用する狭帯域モードの周波数帯域が異なるので、それぞれの通信が干渉になることはない。すなわち、無線基地局装置１１と無線基地局装置２１との間で周波数分割利用が行われたことになる。
【００３２】
図３は、本発明の無線通信システムの実施例２を示す。
図３において、一方の無線基地局装置１１の通信エリア１２内に既存の無線端末装置１３があり、広帯域モードで無線通信しているときに、隣接する他方の無線基地局装置２１の通信エリア内２２に新規の無線端末装置２３を増設する状況は実施例１と同様である。
【００３３】
実施例２では、既存の無線端末装置１３は、無線基地局装置１１の通信エリア１２と無線基地局装置２１の通信エリア２２が重なる位置にあるときに、通信エリア１２と重ならない通信エリア２２に新規の無線端末装置２３を増設する。すなわち、図６(c) に示す状況にあるものとする。このままでは、無線基地局装置１１，２１ともに広帯域モードの通信ができない。そこで、無線基地局装置１１，２１は、遠隔制御装置３１の指示に応じて互いに周波数帯域が重ならない狭帯域モードへの変更を実施し、無線基地局装置１１と無線端末装置１３は狭帯域モードで通信を継続し、無線基地局装置２１と新規の無線端末装置２３は割り当てられた狭帯域モードで通信を開始する。
【００３４】
図４は、本発明の無線通信システムの実施例２におけるモード変更手順を示す。
図４において、無線基地局装置２１の通信エリア２２に新規の無線端末装置２３が増設されるとき、まず遠隔制御装置３１は、隣接する無線基地局装置１１，２１に対して、送信停止フレーム（ＮＡＶ）を互いに重ならないように設定し（Ｓ21）、無線端末装置の増設処理が完了した後に解除する。ここでは、無線基地局装置１１，２１の順番に交互に送信停止フレーム（ＮＡＶ）が設定される。
【００３５】
無線基地局装置１１，２１は、各フレームの先頭で無線基地局のＩＤ１１，ＩＤ２１をそれぞれ報知するが、ここではＮＡＶが設定されていない無線基地局装置２１がＩＤ２１を報知する（Ｓ22）。一方、新規の無線端末装置２３は、一定期間にわたり無線基地局ＩＤをモニタし、まず無線基地局装置２１のＩＤ２１を受信すると、同一フレーム内に設けられたランダムアクセス領域を用いて、ＩＤ２３を無線基地局装置２１に応答する（Ｓ23）。また、既存の無線端末装置１３も同様に無線基地局装置２１のＩＤ２１を受信すると、同一フレーム内に設けられたランダムアクセス領域を用いて、ＩＤ２３を無線基地局装置２１に応答する（Ｓ24）。無線基地局装置２１は、無線端末装置２３のＩＤ２３および無線端末装置１３のＩＤ１３を受信すると、ＩＤ２１とＩＤ２３とＩＤ１３をセットで遠隔制御装置３１に通知する（Ｓ25）。
【００３６】
次に、ＮＡＶが設定されていない無線基地局装置１１がＩＤ１１を報知するが、図４では省略する。ここでは、無線端末装置１３のみがＩＤ１３を応答するが、すでに認証済みであるので遠隔制御装置３１への通知は行わない。
【００３７】
遠隔制御装置３１は、無線基地局装置２１から通知される各ＩＤを照合し、複数の無線端末装置１３，２３のＩＤ１３およびＩＤ２３が通知されていれば、無線基地局装置２１における広帯域モードの通信は干渉になると判断する（Ｓ26）。そして、無線基地局装置１１，２１に対して、互いに周波数帯域が重ならない狭帯域モードへの変更を指示する（Ｓ27）。
【００３８】
無線基地局装置１１は、広帯域モードから遠隔制御装置３１に指示された狭帯域モード（周波数帯域および中心周波数）に変更する（Ｓ28）。このとき、無線基地局装置１１と既存の無線端末装置１３は、広帯域モードから狭帯域モードに変更するための制御信号をやりとりした後に、広帯域モードから狭帯域モードへの変更を同時に実施し、狭帯域モードによる通信を継続する。
【００３９】
無線基地局装置２１は、遠隔制御装置３１に指示された狭帯域モード（周波数帯域および中心周波数）に設定し（Ｓ29）、新規の無線端末装置２３との間で当該狭帯域モードによる通信が開始される。
【００４０】
このとき、隣接する通信エリアが使用する狭帯域モードの周波数帯域が異なるので、それぞれの通信が干渉になることはない。すなわち、無線基地局装置１１と無線基地局装置２１との間で周波数分割利用が行われたことになる。
【００４１】
図５は、本発明の無線通信システムの各装置の構成例を示す。
図５において、無線基地局装置１１（２１）は、送受信部４１、モード変更制御部４２、ＮＡＶ設定／ＩＤ送受信制御部４３、遠隔制御装置通信部４４により構成される。送受信部４１は、無線端末装置１３（２３）との間で信号の送受信を行う。ＮＡＶ設定／ＩＤ送受信制御部４３は、遠隔制御装置３１からの指示に応じたタイミングで送信停止フレーム（ＮＡＶ）を設定し、ＮＡＶの非設定時に無線基地局装置のＩＤを報知し、応答のあった無線端末装置のＩＤを受信し、遠隔制御装置通信部４４に出力する。遠隔制御装置通信部４４は、ＮＡＶ設定／ＩＤ送受信制御部４３から入力する無線基地局装置のＩＤと無線端末装置のＩＤを遠隔制御装置３１に通知するとともに、遠隔制御装置３１から通知されたモード変更指示をモード変更制御部４２に出力する。モード変更制御部４２は、遠隔制御装置３１から通知されたモード変更指示に応じて、送受信部４１に対して広帯域モードから狭帯域モードへの変更／設定を行う。
【００４２】
無線端末装置１３（２３）は、送受信部５１、モード変更制御部５２、ＩＤ送受信制御部５３により構成される。送受信部５１は、無線基地局装置１１との間で信号の送受信を行う。モード変更制御部５２は、接続先の無線基地局装置からの指示に応じてモード変更処理を行う。ＩＤ送受信制御部５３は、無線基地局装置のＩＤを受信したときに無線端末装置のＩＤを応答する処理を行う。
【００４３】
遠隔制御装置３１は、無線基地局装置通信部６１、干渉判定部６２、モード変更制御部６３、管理ＤＢ６４により構成される。管理ＤＢ６４は、無線基地局装置と無線端末装置の接続関係を管理する。無線基地局装置通信部６１は、無線基地局装置から入力する無線基地局装置のＩＤと無線端末装置のＩＤを干渉判定部６２に出力するとともに、モード変更制御部６３から出力されるモード変更指示を無線基地局装置に通知する。干渉判定部６２は、管理ＤＢ６４のデータと、無線基地局装置のＩＤと無線端末装置のＩＤの組合せから干渉の有無を判定する。実施例１の場合は、新規の無線端末装置２３における広帯域モードの通信が干渉となり、実施例２の場合は、無線基地局装置２１における広帯域モードの通信が干渉となることが判定される。モード変更制御部６３は、干渉と判定された場合に、広帯域モードから互いに周波数帯域が重ならない狭帯域モードに変更するモード変更指示を出力する。
【符号の説明】
【００４４】
１１  既存の無線基地局装置
１２  既存の通信エリア
１３  既存の無線端末装置
２１  新規の無線基地局装置
２２  新規の通信エリア
２３  新規の無線端末装置
３１  遠隔制御装置
４１  送受信部
４２  モード変更制御部
４３  ＮＡＶ設定／ＩＤ送受信制御部
４４  遠隔制御装置通信部
５１  送受信部
５２  モード変更制御部
５３  ＩＤ送受信制御部
６１  無線基地局装置通信部
６２  干渉判定部
６３  モード変更制御部
６４  管理ＤＢ
【図１】
2014209687.tif 000003
【図２】
2014209687.tif 000004
【図３】
2014209687.tif 000005
【図４】
2014209687.tif 000006
【図５】
2014209687.tif 000007
【図６】
2014209687.tif 000008